(57)【要約】【課題】  組み付け作業が容易で、かつ、組み付け後に外力が加えられた場合でも軋み音の発生を抑止可能な組立構造体を提供する。【解決手段】  リアパネルと、フロントパネルとを有する組立構造体であって、前記リアパネルと前記フロントパネルとが互いに当接する第１の当接部及び第２の当接部を有し、前記第１の当接部は、組み付け方向に延設されたフック部材と、組み付けられた状態で、前記フック部材を、前記組み付け方向に沿って移動しないように係止する係止部材と、を有し、前記第２の当接部は、組み付け方向に延設された突設部材と、組み付けの際に、前記突設部材によって塑性変形されることで前記突設部材を強嵌合し、前記組み付け方向と略直交する方向の前記突設部材の動きを規制する強嵌合部材とを有することを特徴とする。【選択図】図４
2018117075.tif 000002
【特許請求の範囲】
【請求項１】
組み付け部品と、該組み付け部品に組み付けられる被組み付け部品とを有する組立構造体であって、
前記被組み付け部品が前記組み付け部品によって組み付けられることで前記組み付け部品と前記被組み付け部品とが互いに当接する第１の当接部及び第２の当接部を有し、
前記第１の当接部は、
組み付け方向に延設されたフック部材と、
前記被組み付け部品が前記組み付け部品に組み付けられた状態で、前記フック部材を、前記組み付け方向に沿って移動しないように係止する係止部材と、を有し、
前記第２の当接部は、
組み付け方向に延設された突設部材と、
前記被組み付け部品が前記組み付け部品に組み付けられる際に、前記突設部材によって塑性変形されることで前記突設部材を強嵌合し、前記組み付け方向と略直交する方向の前記突設部材の動きを規制する強嵌合部材と
を有することを特徴とする組立構造体。
【請求項２】
前記被組み付け部品が前記組み付け部品によって組み付けられた状態で、前記被組み付け部品と前記組み付け部品とにより形成される外周面のうち、湾曲面が形成される位置に対応する位置に、前記第２の当接部が配置されていることを特徴とする請求項１に記載の組立構造体。
【請求項３】
前記外周面のうち、平坦面が形成される位置に対応する位置に、前記第１の当接部が、２つの前記第２の当接部の間に挟まれるように配置されていることを特徴とする請求項２に記載の組立構造体。
【請求項４】
前記第２の当接部が有する前記強嵌合部材には、前記突設部材によって塑性変形される突起が、前記平坦面と略直交する方向に、対向して配置されていることを特徴とする請求項３に記載の組立構造体。
【請求項５】
前記強嵌合部材には、前記突設部材によって塑性変形される突起が、前記組み付け方向と略直交する複数の方向に配置されていることを特徴とする請求項１に記載の組立構造体。
【請求項６】
前記第１の当接部において、前記フック部材は前記組み付け部品に配され、前記係止部材は前記被組み付け部品に配されており、
前記第２の当接部において、前記突設部材は前記組み付け部品に配され、前記強嵌合部材は前記被組み付け部品に配されていることを特徴とする請求項１に記載の組立構造体。
【発明の詳細な説明】
【技術分野】
【０００１】
本発明は、組立構造体に関する。
【背景技術】
【０００２】
電子機器の筐体等は、複数の外観部品から構成されており、外観部品同士は、一般に、ねじ止め以外の固定方法により組み付けられる。具体的には、フック固定による固定方法や、嵌合固定による固定方法等を組み合わせて組み付けが行われる。
【０００３】
フック固定による固定方法は、例えば、一方の外観部品を他方の外観部品に組み付けた際に、外観部品同士を組み付け方向に固定する。また、嵌合固定による固定方法は、例えば、外観部品同士を組み付け方向とは異なる方向（組み付け方向と略直交する方向）に固定する。
【先行技術文献】
【特許文献】
【０００４】
【特許文献１】特開２００１−３３９１７４号公報
【発明の概要】
【発明が解決しようとする課題】
【０００５】
しかしながら、上記のような固定方法の組み合わせの場合、組み付け方向においては強い固定力を実現できるが、組み付け方向とは異なる方向においては、充分な固定力を実現できない。外観部品同士を組み付ける場合、交差吸収のため、嵌合固定される凸部と凹部とは一定程度の隙間を設けるように構成されるからである。
【０００６】
この結果、組み付け方向とは異なる方向に外力が加えられると、外観部品同士が摺動し、外観部品同士が当接する位置（例えば、フック固定位置）において軋み音が生じてしまうといった問題が生じる。
【０００７】
これに対して、嵌合固定される凸部と凹部とを隙間を設けない構成とすると、外観部品同士の摺動を回避でき軋み音の発生は抑止できるが、組み付け時に外観部品同士の交差を吸収できず、組み付け作業が困難になるといった問題が生じる。
【０００８】
本発明は上記課題に鑑みてなされたものであり、組み付け作業が容易で、かつ、組み付け後に外力が加えられた場合でも軋み音が発生するのを抑止可能な組立構造体を提供することを目的とする。
【課題を解決するための手段】
【０００９】
一態様によれば、
組み付け部品と、該組み付け部品に組み付けられる被組み付け部品とを有する組立構造体であって、
前記被組み付け部品が前記組み付け部品によって組み付けられることで前記組み付け部品と前記被組み付け部品とが互いに当接する第１の当接部及び第２の当接部を有し、
前記第１の当接部は、
組み付け方向に延設されたフック部材と、
前記被組み付け部品が前記組み付け部品に組み付けられた状態で、前記フック部材を、前記組み付け方向に沿って移動しないように係止する係止部材と、を有し、
前記第２の当接部は、
組み付け方向に延設された突設部材と、
前記被組み付け部品が前記組み付け部品に組み付けられる際に、前記突設部材によって塑性変形されることで前記突設部材を強嵌合し、前記組み付け方向と略直交する方向の前記突設部材の動きを規制する強嵌合部材とを有することを特徴とする。
【発明の効果】
【００１０】
組み付け作業が容易で、かつ、組み付け後に外力が加えられた場合でも軋み音が発生するのを抑止可能な組立構造体を提供することができる。
【図面の簡単な説明】
【００１１】
【図１】ディスプレイ装置の外観構成を示す図である。
【図２】フロントパネルにリアパネルを組み付ける組み付け作業における組み付け方向を説明するための図である。
【図３】当接部の配置を示す図である。
【図４】ディスプレイ装置のコーナ部位に配置された、第１の当接部と第２の当接部との組み合わせの一部を示した図である。
【図５】ディスプレイ装置の長辺部位に配置された、第１の当接部と第２の当接部との組み合わせを示した図である。
【図６】ディスプレイ装置の短辺部位に配置された、第１の当接部と第２の当接部との組み合わせの一部を示した図である。
【図７】第１の当接部及び第２の当接部の組み付け時の様子を模式的に示した図である。
【図８】第２の当接部の他の例を模式的に示した図である。
【図９】第１の当接部の他の例を模式的に示した図である。
【発明を実施するための形態】
【００１２】
以下、各実施形態について添付の図面を参照しながら説明する。なお、本明細書及び図面において、実質的に同一の機能構成を有する構成要素については、同一の符号を付することにより重複した説明を省く。
【００１３】
［第１の実施形態］
＜電子機器の外観構成＞
はじめに、第１の実施形態に係る組立構造体を外観部品とする電子機器の一例である、ディスプレイ装置について説明する。なお、ここでいうディスプレイ装置には、例えば、液晶ディスプレイ装置や、プラズマディスプレイ装置、有機ＥＬ（electroluminescence）ディスプレイ装置等が含まれるものとする。
【００１４】
図１は、ディスプレイ装置の外観構成を示す図である。このうち、図１（ａ）は、ディスプレイ装置１００の正面斜視図であり、図１（ｂ）は、ディスプレイ装置１００の背面斜視図である。
【００１５】
図１（ａ）に示すように、ディスプレイ装置１００は、第１の実施形態に係る組立構造体である外観部品として、フロントパネル１１０を有する。また、図１（ｂ）に示すように、ディスプレイ装置１００は、第１の実施形態に係る組立構造体である外観部品として、リアパネル１２０を有する。
【００１６】
ディスプレイ装置１００の組み立て工程には、ディスプレイモジュール１１１やホルダ１２１等が取り付けられたフロントパネル１１０に対して、リアパネル１２０を組み付ける組み付け作業が含まれる。
【００１７】
＜組み付け作業における組み付け方向の説明＞
次に、フロントパネル１１０に対してリアパネル１２０を組み付ける組み付け作業における組み付け方向について説明する。図２は、フロントパネルにリアパネルを組み付ける組み付け作業における組み付け方向を説明するための図である。
【００１８】
図２に示すように、組み付け作業では、リアパネル１２０を、矢印２００に沿って移動させることで、リアパネル１２０をフロントパネル１１０に組み付ける。つまり、図２の例では、リアパネル１２０が組み付け部品となり、フロントパネル１１０が被組み付け部品となる。矢印２００は、フロントパネル１１０に取り付けられたディスプレイモジュール１１１（図２において不図示）の面に略直交する方向であり、第１の実施形態では、当該方向を"組み付け方向"と称す。なお、第１の実施形態では、組み付け方向をＺ軸方向と定義する。
【００１９】
また、ディスプレイモジュール１１１の面に略平行な方向のうち、ディスプレイモジュール１１１の長辺方向に略平行な方向をＸ軸方向、ディスプレイモジュールの短辺方向に略平行な方向をＹ軸方向と定義する。Ｘ軸方向及びＹ軸方向は、いずれも、組み付け方向に略直交する方向である。
【００２０】
＜当接部の配置＞
次に、フロントパネル１１０に対してリアパネル１２０を組み付けることで互いに当接し、フロントパネル１１０とリアパネル１２０との間の動きを規制する"当接部"の配置について説明する。
【００２１】
第１の実施形態において、フロントパネル１１０及びリアパネル１２０が有する当接部は、２種類に大別することができる。
【００２２】
第１の当接部は、リアパネル１２０をフロントパネル１１０に組み付けた状態で、リアパネル１２０とフロントパネル１１０との間のＺ軸方向の動きを規制する当接部である。
【００２３】
第２の当接部は、リアパネル１２０をフロントパネル１１０に組み付けた状態で、リアパネル１２０とフロントパネル１１０との間のＸ軸方向の動き、Ｙ軸方向の動き、または、Ｘ軸方向とＹ軸方向の両方の動き、のいずれかを規制する当接部である。
【００２４】
図３は、当接部の配置を示す図である。図３において、丸印３０１は、Ｚ軸方向の動きを規制する第１の当接部が配された位置を示している。また、丸印３０２は、Ｘ軸方向の動きを規制する第２の当接部が配された位置を示している。また、丸印３０３は、Ｙ軸方向の動きを規制する第２の当接部が配された位置を示している。更に、丸印３０４は、Ｘ軸方向とＹ軸方向の両方の動きを規制する第２の当接部が配された位置を示している。
【００２５】
図３の点線３１０〜３８０で示すように、リアパネル１２０をフロントパネル１１０に組み付けることで形成される「外周面」の各部位（コーナ部位、長辺部位、短辺部位）には、第１の当接部と第２の当接部との組み合わせが、複数配置されている。具体的には、コーナ部位には点線３１０、３２０で示す組み合わせが配置され、長辺部位には点線３３０〜３６０で示す組み合わせが配置され、短辺部位には、点線３７０、３８０で示す組み合わせが配置されている。
【００２６】
このように、第１の当接部と第２の当接部との組み合わせを、各部位に配置する構成とすることで、リアパネル１２０とフロントパネル１１０との間の摺動を抑えることができる。
【００２７】
＜第１の当接部及び第２の当接部の詳細構成その１＞
次に、第１の当接部及び第２の当接部の詳細構成について説明する。図４は、ディスプレイ装置のコーナ部位に配置された、第１の当接部と第２の当接部との組み合わせ（図３の点線３２０）の一部を示した図である。
【００２８】
このうち、図４（ａ）は、ディスプレイ装置１００のリアパネル１２０のコーナ部位を内側から見た様子を示しており、図４（ｂ）は、ディスプレイ装置１００のフロントパネル１１０のコーナ部位を内側から見た様子を示している。
【００２９】
図４（ａ）に示すように、リアパネル１２０の丸印３０１で示す位置には、第１の当接部として、Ｚ軸方向に延設されたフック部材４１２、４２２が配されている。また、図４（ｂ）に示すように、フロントパネル１１０の丸印３０１で示す位置には、第１の当接部として、係止部材の一例であるフック受け部材４１１、４２１が配されている。
【００３０】
フロントパネル１１０に対してリアパネル１２０を組み付けた状態で、フック部材４１２等が、フック受け部材４１１等に係止することで、フック受け部材４１１等は、フック部材４１２等の組み付け方向とは反対方向の動きを規制することができる。この結果、丸印３０１で示す第１の当接部によれば、リアパネル１２０がフロントパネル１１０に対して、組み付け方向とは反対方向に摺動することを回避することができる。
【００３１】
また、図４（ａ）に示すように、リアパネル１２０の丸印３０２で示す位置には、Ｘ軸方向の動きを規制する第２の当接部として、Ｚ軸方向に延設された突設部材４３２が配されている。なお、この突設部材４３２と、この突設部材４３２が突き当たるフロントパネル１１０側の突当部４３３は、リアパネル１２０をフロントパネル１１０に組み付けた状態で、フック部材４１２等が組み付け方向に移動しないように係止する係止部材の一部を構成している。また、図４（ｂ）に示すように、フロントパネル１１０の丸印３０２で示す位置には、Ｘ軸方向の動きを規制する第２の当接部として、強嵌合形状を有する強嵌合部材４３１が配されている。
【００３２】
フロントパネル１１０に対してリアパネル１２０を組み付ける際に、突設部材４３２によって、強嵌合部材４３１の一部（Ｘ軸方向の突起）が塑性変形されることで、強嵌合部材４３１は、突設部材４３２を強嵌合する。これにより、強嵌合部材４３１は、突設部材４３２のＸ軸方向の動きを規制することができる。この結果、丸印３０２で示す第２の当接部によれば、リアパネル１２０がフロントパネル１１０に対してＸ軸方向に摺動することを回避することができる。
【００３３】
また、図４（ａ）に示すように、リアパネル１２０の丸印３０４で示す位置（外周面のうち、湾曲面が形成される位置に対応する位置）には、Ｘ軸方向及びＹ軸方向の動きを規制する第２の当接部として、Ｚ軸方向に延設された突設部材４４２が配されている。また、図４（ｂ）に示すように、フロントパネル１１０の丸印３０４で示す位置には、Ｘ軸方向及びＹ軸方向の動きを規制する第２の当接部として、強嵌合部材４４１が配されている。
【００３４】
フロントパネル１１０に対してリアパネル１２０を組み付ける際に、突設部材４４２によって、強嵌合部材４４１の一部が塑性変形されることで、強嵌合部材４４１は、突設部材４４２を強嵌合する。このとき、塑性変形されるのは、Ｘ軸方向に対して略４５度かつＹ軸方向に対して略４５度の方向に延びる突起である。このため、強嵌合部材４４１は、突設部材４４２のＸ軸方向及びＹ軸方向の動きを規制することができる。この結果、丸印３０４で示す第２の当接部によれば、リアパネル１２０がフロントパネル１１０に対してＸ軸方向に摺動すること、及び、Ｙ軸方向に摺動することを回避することができる。
【００３５】
このように、第１の当接部及び第２の当接部を、それぞれ、Ｚ軸方向、Ｘ軸方向及びＹ軸方向に摺動しない構成とすることで、軋み音の発生を抑止することができる。
【００３６】
加えて、第２の当接部を第１の当接部の近傍に配置することで、第１の当接部でのＸ軸方向またはＹ軸方向の摺動に伴う軋み音の発生をより抑制することが可能となる。
【００３７】
＜第１の当接部及び第２の当接部の詳細構成その２＞
図５は、ディスプレイ装置の長辺部位に配置された、第１の当接部と第２の当接部との組み合わせ（図３の点線３５０）を示した図である。
【００３８】
図５（ａ）は、ディスプレイ装置１００のリアパネル１２０の長辺部位を内側から見た様子を示しており、図５（ｂ）は、ディスプレイ装置１００のフロントパネル１１０の長辺部位を内側から見た様子を示している。
【００３９】
図５（ａ）に示すように、リアパネル１２０の丸印３０１で示す位置（外周面のうち、平坦面が形成される位置に対応する位置）には、第１の当接部として、Ｚ軸方向に延設されたフック部材５１２が配されている。また、図５（ｂ）に示すように、フロントパネル１１０の丸印３０１で示す位置には、第１の当接部として、フック受け部材５１１が配されている。
【００４０】
フロントパネル１１０に対してリアパネル１２０を組み付けた状態で、フック部材５１２が、フック受け部材５１１に係止することで、フック受け部材５１１は、フック部材５１２の組み付け方向とは反対方向の動きを規制する。この結果、丸印３０１で示す第１の当接部によれば、リアパネル１２０がフロントパネル１１０に対して組み付け方向とは反対方向に摺動することを回避することができる。
【００４１】
また、図５（ａ）に示すように、リアパネル１２０の丸印３０３で示す位置（外周面のうち、平坦面が形成される位置に対応する位置）には、Ｙ軸方向の動きを規制する第２の当接部として、Ｚ軸方向に延設された突設部材５２２、５３２が配されている。なお、この突設部材５２２、５３２と、この突設部材５２２、５３２が突き当たるフロントパネル１１０側の突当部５２３、５３３は、リアパネル１２０をフロントパネル１１０に組み付けた状態で、フック部材５１２が組み付け方向に移動しないように係止する係止部材の一部を構成している。また、図５（ｂ）に示すように、フロントパネル１１０の丸印３０３で示す位置には、Ｙ軸方向の動きを規制する第２の当接部として、強嵌合部材５２１、５３１が配されている。
【００４２】
フロントパネル１１０に対してリアパネル１２０を組み付ける際に、突設部材５２２、５３２によって、強嵌合部材５２１、５３１の一部（平坦面に略直交するＹ軸方向に対向して配された突起）が塑性変形される。これにより、強嵌合部材５２１、５３１は、突設部材５２２、５３２を強嵌合し、突設部材５２２、５３２のＹ軸方向の動きを規制することができる。この結果、丸印３０３で示す第２の当接部によれば、リアパネル１２０がフロントパネル１１０に対してＹ軸方向に摺動することを回避することができる。
【００４３】
このように、第１の当接部及び第２の当接部を、それぞれ、Ｚ軸方向、Ｙ軸方向に摺動しない構成とすることで、軋み音の発生を抑止することができる。
【００４４】
加えて、第１の当接部を第２の当接部によって挟むように配置することで、第１の当接部でのＹ軸方向の摺動に伴う軋み音の発生をより抑制することが可能となる。
【００４５】
＜第１の当接部及び第２の当接部の詳細構成その３＞
図６は、ディスプレイ装置の短辺部位に配置された、第１の当接部と第２の当接部との組み合わせ（図３の点線３８０）の一部を示した図である。
【００４６】
図６（ａ）は、ディスプレイ装置１００のフロントパネル１１０の短辺部位を内側から見た様子を示しており、図６（ｂ）は、ディスプレイ装置１００のリアパネル１２０の短辺部位を内側から見た様子を示している。
【００４７】
図６（ａ）に示すように、フロントパネル１１０の丸印３０１で示す位置（外周面のうち、平坦面が形成される位置に対応する位置）には、第１の当接部として、フック受け部材６１１が配されている。また、図６（ｂ）に示すように、リアパネル１２０の丸印３０１で示す位置には、第１の当接部として、Ｚ軸方向に延設された２つのフック部材６１２が配されている。
【００４８】
フロントパネル１１０に対してリアパネル１２０を組み付けた状態で、フック部材６１２が、フック受け部材６１１に係止することで、フック受け部材６１１は、フック部材６１２の組み付け方向とは反対方向の動きを規制することができる。この結果、丸印３０１で示す第１の当接部によれば、リアパネル１２０がフロントパネル１１０に対して、組み付け方向とは反対方向に摺動することを回避することができる。
【００４９】
また、図６（ａ）に示すように、フロントパネル１１０の丸印３０２で示す位置（外周面のうち、平坦面が形成される位置に対応する位置）には、Ｘ軸方向の動きを規制する第２の当接部として、強嵌合部材６２１が配されている。また、図６（ｂ）に示すように、リアパネル１２０の丸印３０２で示す位置には、Ｘ軸方向の動きを規制する第２の当接部として、Ｚ軸方向に延設された突設部材６２２が配されている。
【００５０】
フロントパネル１１０に対してリアパネル１２０を組み付ける際に、突設部材６２２によって強嵌合部材６２１の一部（平坦面に略直交するＸ軸方向に対向して配された突起）が塑性変形される。これにより、強嵌合部材６２１は、突設部材６２２を強嵌合し、突設部材６２２のＸ軸方向の動きを規制することができる。この結果、丸印３０２で示す第２の当接部によれば、リアパネル１２０がフロントパネル１１０に対してＸ軸方向に摺動することを回避することができる。
【００５１】
このように、第１の当接部及び第２の当接部を、それぞれ、Ｚ軸方向、Ｘ軸方向に摺動しない構成とすることで、軋み音の発生を抑止することができる。
【００５２】
加えて、第１の当接部の近傍に第２の当接部を配置することで、第１の当接部でのＸ軸方向の摺動に伴う軋み音の発生をより抑制することが可能となる。
【００５３】
＜組み付け時の第１の当接部及び第２の当接部の機能＞
次に、組み付け時の第１の当接部及び第２の当接部の機能について説明する。図７は、第１の当接部及び第２の当接部の組み付け時の様子を模式的に示した図である。
【００５４】
このうち、図７（ａ）は、第１の当接部の組み付け時の様子を模式的に示した図である。リアパネル１２０を組み付け方向に移動させることで、図７（ａ）に示すように、フック部材４１２がＺ軸方向に移動する（符号７１０参照）。フック部材４１２はフック受け部材４１１に当接すると弾性変形しながら、Ｚ軸方向に移動し（符号７１１参照）、フック受け部材４１１の開口部に到達すると、フック部材４１２がフック受け部材４１１に係止する（符号７１２参照）。このように、フック部材４１２では、組み付け時に弾性変形することで、フロントパネル１１０とリアパネル１２０の交差を吸収している。
【００５５】
図７（ｂ）は、Ｘ軸方向の動きを規制する第２の当接部の組み付け時の様子を模式的に示した図である。リアパネル１２０を組み付け方向に移動させることで、図７（ｂ）に示すように、突設部材６２２がＺ軸方向に移動する（符号７２０参照）。突設部材６２２は、強嵌合部材６２１の一部（Ｘ軸方向の突起７０１）に当接すると、強嵌合部材６２１のＸ軸方向の突起７０１を塑性変形させながら、Ｚ軸方向に移動し（符号７２１参照）、強嵌合部材６２１の突当部に到達する（符号７２２参照）。
【００５６】
ここで、図７（ｂ）に示すように、強嵌合部材６２１のＸ軸方向の長さＷｆ１は、突設部材６２２のＸ軸方向の長さＷｒ１よりも長い。このため、フロントパネル１１０とリアパネル１２０との交差は、長さＷｆ１と長さＷｒ１との差分により吸収できる。この結果、Ｘ軸方向の動きを規制する第２の当接部によれば、組み付け作業が困難になるといった事態を回避することができる。
【００５７】
なお、図７（ｂ）の例では、強嵌合形状として、Ｘ軸方向の突起７０１を、強嵌合部材６２１のＺ軸方向の一部に配する形状としたが、Ｘ軸方向の突起７０１は、強嵌合部材６２１のＺ軸方向全体に配する形状としてもよい。
【００５８】
図７（ｃ）は、Ｙ軸方向の動きを規制する第２の当接部の組み付け時の様子を模式的に示した図である。リアパネル１２０を組み付け方向に移動させることで、図７（ｃ）に示すように、突設部材５２２がＺ軸方向に移動する（符号７３０参照）。突設部材５２２は、強嵌合部材５２１の一部（Ｙ軸方向の突起７０２）に当接すると、強嵌合部材５２１のＹ軸方向の突起７０２を塑性変形させながら、Ｚ軸方向に移動し（符号７３１参照）、強嵌合部材５２１の突当部に到達する(符号７３２参照)。
【００５９】
ここで、図７（ｃ）に示すように、強嵌合部材６２１のＹ軸方向の長さＷｆ２は、突設部材５２２のＹ軸方向の長さＷｒ２よりも長い。このため、フロントパネル１１０とリアパネル１２０との交差は、長さＷｆ２と長さＷｒ２との差分により吸収できる。この結果、Ｙ軸方向の動きを規制する第２の当接部によれば、組み付け作業が困難になるといった事態を回避することができる。
【００６０】
なお、図７（ｃ）の例では、強嵌合形状として、Ｙ軸方向の突起７０２を、強嵌合部材５２１のＺ軸方向の一部に配する形状としたが、Ｙ軸方向の突起７０２は、強嵌合部材５２１のＺ軸方向全体に配する形状としてもよい。
【００６１】
なお、図７（ａ）のフック部材４１２は、図７（ｂ）、（ｃ）の突設部材６２２、５２２がそれぞれ強嵌合部材６２１、５２１の突当部に到達した状態で、フック受け部材４１１に係止するよう構成されているものとする。つまり、第１の当接部でのフック部材４１２の組み付け方向の動きは、第２の当接部（強嵌合部材６２１、５２１の突当部）により規制されている。この結果、第２の当接部によれば、リアパネル１２０がフロントパネル１１０に対して組み付け方向に摺動することを回避することができる。
【００６２】
＜まとめ＞
以上の説明から明らかなように、第１の実施形態では、フロントパネル１１０とリアパネル１２０の組立構造体において、第１の当接部として、
・リアパネル１２０に、組み付け方向（Ｚ軸方向）に延設する、弾性変形可能なフック部材を配し、
・フロントパネル１１０に、フック部材が係止するフック受け部材を配し、
リアパネル１２０をフロントパネル１１０に組み付けた状態で、フック部材を、フック受け部材に係止させることで、組み付け方向とは反対方向の動きを規制し、
・リアパネル１２０に組み付け方向（Ｚ軸方向）に延設する突設部材を配し、フロントパネル１１０に突当部を設け、突設部材が突当部に突き当たることにより、組み付け方向の動きを規制し、フック部材を組み付け方向に沿って移動しないように構成した。
【００６３】
また、当該組立構造体において、第２の当接部として、
・リアパネル１２０に、組み付け方向（Ｚ軸方向）に延設する突設部材を配し、
・フロントパネル１１０に、突設部材と強嵌合する強嵌合部材を配し、
リアパネル１２０をフロントパネル１１０に組み付けた状態で、強嵌合部材が、突設部材を強嵌合することで、組み付け方向と略直交するＸ軸方向またはＹ軸方向またはその両方向の突設部材の動きを規制する構成とした。
【００６４】
これにより、組み付け後にＸ軸方向またはＹ軸方向またはＺ軸方向に外力が加えられた場合でも、フロントパネル１１０に対してリアパネル１２０が摺動するといった事態を回避することができ、軋み音の発生を抑制することが可能となる。
【００６５】
また、上記構成によれば、弾性変形するフック部材及び塑性変形する突起により、フロントパネル１１０とリアパネル１２０との交差を吸収することができるため、組み付け作業が困難になるといった事態を回避することができる。
【００６６】
つまり、第１の実施形態によれば、組み付け作業が容易で、かつ、組み付け後に外力が加えられた場合でも軋み音の発生を抑止可能な組立構造体を提供することができる。
【００６７】
［第２の実施形態］
上記第１の実施形態では、第２の当接部として、所定軸方向の突起を有する強嵌合部材（例えば、Ｘ軸方向の突起７０１を有する強嵌合部材６２１、Ｙ軸方向の突起７０２を有する強嵌合部材５２１）を配する構成とした。しかしながら、第２の当接部における強嵌合部材の形状はこれに限定されない。例えば、異なる軸方向の突起を複数有する形状を有していてもよい。
【００６８】
図８は、第２の当接部の他の例を模式的に示した図であり、フロントパネル１１０を内側から見た場合の模式図である。図８において、実線は、第２の当接部として、フロントパネル１１０側に配された強嵌合部材を示し、点線は、第２の当接部として、リアパネル１２０側に配された突設部材を示している。
【００６９】
このうち、図８（ａ）は、比較のために、上記第１の実施形態で説明した突設部材５２２と強嵌合部材５２１との関係を模式的に示したものである。一方、図８（ｂ）、（ｃ）は、第２の実施形態における突設部材と強嵌合部材との関係を模式的に示したものである。
【００７０】
図８（ａ）に示すように、第１の実施形態では、例えば、Ｙ軸方向の対向する位置に１組の突起７０２を配し、Ｙ軸方向の動きを規制していた。これに対して、図８（ｂ）に示すように、第２の実施形態では、Ｘ軸方向の対向する位置に１組の突起８０１を配し、Ｙ軸方向の対向する位置に１組の突起８０２を配する。更に、第２の実施形態では、突設部材を円柱状に形成するとともに、強嵌合部材を円筒状に形成する。
【００７１】
このように、Ｘ軸方向に対向する位置とＹ軸方向に対向する位置とにそれぞれ突起を配する形状とすることで、第２の実施形態では、第２の当接部において、突設部材のＸ軸方向とＹ軸方向の両方の動きを規制することが可能となる。
【００７２】
あるいは、図８（ｃ）に示すように、第２の実施形態では、３箇所に突起８１１〜８１３を配し、突設部材を三角柱状に形成するとともに、強嵌合部材を円筒状に形成する。
【００７３】
このように、３箇所の突起を配する形状にすることで、第２の実施形態では、第２の当接部において、突設部材のＺ軸方向に略直交する任意の方向の動きを規制することが可能となる。
【００７４】
以上のとおり、第２の実施形態によれば、第２の当接部１箇所において、Ｚ軸方向と略直交する複数の方向の動きを規制することが可能となる。
【００７５】
［第３の実施形態］
上記第１の実施形態では、第１の当接部として、フロントパネル１１０側に、矩形形状の開口部を有するフック受け部材を配する構成とした。これに対して、第３の実施形態では、第１の当接部として、フロントパネル１１０側に、台形形状の開口部を有するフック受け部材を配する。
【００７６】
図９は、第１の当接部の他の例を模式的に示した図であり、フック受け部材にフック部材が係止した状態を、フロントパネル１１０の内側から見た場合の模式図である。
【００７７】
このうち、図９（ａ）は、比較のために、上記第１の実施形態で説明したフック部材４１２とフック受け部材４１１を模式的に示したものである。一方、図９（ｂ）は、フック部材４１２と第３の実施形態におけるフック受け部材９１１を模式的に示したものである。
【００７８】
図９（ｂ）に示すように、フック受け部材９１１の開口部を台形形状に形成することで、Ｘ軸方向に外力が加わった場合でも、フック部材４１２がＸ軸方向にずれにくくなる。つまり、第３の実施形態によれば、第１の当接部を、Ｚ軸方向に略直交する方向の外力に対して摺動しにくくすることができる。
【００７９】
［その他の実施形態］
上記第１の実施形態では、強嵌合部材の突起の材質について特に言及しなかったが、突起の材質は、フロントパネル１１０の材質と同じであっても異なっていてもよい（形状が、塑性変形しやすい形状であればよく、材質は任意である）。
【００８０】
上記第１の実施形態では、第１の当接部において、リアパネル１２０側にフック部材を配し、フロントパネル１１０側にフック受け部材を配する構成とした。しかしながら、フロントパネル１１０側にフック部材を配し、リアパネル１２０側にフック受け部材を配する構成としてもよい。
【００８１】
また、上記第１の実施形態では、第２の当接部において、リアパネル１２０側に突設部材を配し、フロントパネル１１０側に強嵌合部材を配する構成とした。しかしながら、フロントパネル１１０側に突設部材を配し、リアパネル１２０側に強嵌合部材を配する構成としてもよい。
【００８２】
また、上記第１の実施形態では、フロントパネル１１０に対してリアパネル１２０を組み付けるものとして説明したが、組み付け方向は反対であってもよい。すなわち、リアパネル１２０に対してフロントパネル１１０を組み付けるようにしてもよい。
【００８３】
また、上記第１の実施形態では、ディスプレイ装置１００の長辺部位において、第１の当接部と、Ｙ軸方向の動きを規制する第２の当接部との組み合わせを、４組（図３の点線３３０〜３６０参照）配するものとして説明した。しかしながら、長辺部位に配する当接部の組み合わせの数はこれに限定されない。
【００８４】
また、上記第１の実施形態では、ディスプレイ装置１００の長辺部位に配された当接部の組み合わせに、１つの第１の当接部と、２つの第２の当接部とを含める構成としたが、当接部の組み合わせに含める当接部の数及び配置はこれに限定されない。なお、短辺部位及びコーナ部位に配される当接部の組み合わせについても同様であり、上記第１の実施形態で示した当接部の組み合わせに含める当接部の数及び配置は一例にすぎない。
【００８５】
また、上記各実施形態では、組立構造体を適用する電子機器の外観部品として、ディスプレイ装置１００を例に説明したが、ディスプレイ装置１００以外の電子機器の外観部品に適用してもよいことはいうまでもない。
【００８６】
なお、上記実施形態に挙げた構成等に、その他の要素との組み合わせ等、ここで示した構成に本発明が限定されるものではない。これらの点に関しては、本発明の趣旨を逸脱しない範囲で変更することが可能であり、その応用形態に応じて適切に定めることができる。
【符号の説明】
【００８７】
１００          ：ディスプレイ装置
１１０          ：フロントパネル
１２０          ：リアパネル
３０１          ：丸印（第１の当接部の位置）
３０２          ：丸印（Ｘ軸方向の動きを規制する第２の当接部の位置）
３０３          ：丸印（Ｙ軸方向の動きを規制する第２の当接部の位置）
３０４          ：丸印（Ｘ軸方向及びＹ軸方向の動きを規制する第２の当接部の位置）
４１１、４２１  ：フック受け部材
４１２、４２２  ：フック部材
４３１、４４１  ：強嵌合部材
４３２、４４２  ：突設部材
４３３          ：突当部
５１１          ：フック受け部材
５１２          ：フック部材
５２１、５３１  ：強嵌合部材
５２２、５３２  ：突設部材
６１１          ：フック受け部材
６１２          ：フック部材
６２１          ：強嵌合部材
６２２          ：突設部材
５２３、５３３  ：突当部
７０１、７０２  ：突起
８０１          ：突起
８１１〜８１３  ：突起
【図１】
2018117075.tif 000003
【図２】
2018117075.tif 000004
【図３】
2018117075.tif 000005
【図４】
2018117075.tif 000006
【図５】
2018117075.tif 000007
【図６】
2018117075.tif 000008
【図７】
2018117075.tif 000009
【図８】
2018117075.tif 000010
【図９】
2018117075.tif 000011